(57)【要約】【課題】野菜室内での結露を解消して野菜等を良好に保存できる冷蔵庫の提供。【解決手段】冷蔵室、野菜室等に冷気を循環させる前記冷却ファンとは別にさらに野菜室８に野菜室ファン５３を設けるとともに、野菜室には野菜ファン吸引側と排気側に冷気の戻り通路３８と連通する野菜冷気入口４４および野菜冷気戻り口４６を設けた構成としてある。これにより、この冷蔵庫では野菜室ファンを回転させることにより野菜室内の冷気を拡散または及び循環させて、冷却室からの冷輻射を受ける部分に大きな温度差が生じるのを抑制することができ、その結果、冷却室からの冷輻射に起因する結露を防止することができる。よって、結露水による野菜劣化を抑制し、より良好な状態で冷却保存できる信頼性の高い冷蔵庫を提供することができる。【選択図】図１２
2018141629.tif 000002
【特許請求の範囲】
【請求項１】
冷蔵室、野菜室、冷凍室を備え、前記冷凍室および野菜室の背面に冷気生成用の冷却器と冷却器で生成した冷気を前記冷蔵室、野菜室、冷凍室に供給循環させる冷却ファン等とを具備する冷却室を備えた冷蔵庫であって、前記冷蔵室、冷凍室、野菜室に冷気を循環させる前記冷却ファンとは別にさらに前記野菜室に野菜室ファンを設け、かつ前記野菜室の背面に前記冷却ファンによって循環される冷気戻り通路を設けるとともに、この冷気戻り通路と野菜室との間であって、前記野菜室の野菜ファン吸引側と排気側に前記冷気戻り通路と連通する野菜冷気入口および野菜冷気戻り口を設けた冷蔵庫。
【請求項２】
野菜室ファンと野菜冷気入口は野菜室の背面下部に配置するとともに、前記野菜室の上部には野菜冷気戻り口と連通する野菜冷気吸込み口を設けた請求項１記載の冷蔵庫。
【請求項３】
野菜室ファンと野菜冷気入口とは野菜室の天井部に配置するとともに、野菜室ファンは野菜室上部に吹き出し口を開口させ、かつ、野菜冷気戻り口を野菜室の下部に設けた請求項１記載の冷蔵庫。
【請求項４】
野菜室は冷蔵室の下部に配置するとともに、野菜室ファンは野菜室と冷蔵室との間を仕切って野菜室の天井を構成する仕切板内に斜めに傾斜させて配置した請求項３記載の冷蔵庫。
【請求項５】
野菜室ファンは野菜室に設けた野菜室温度検出手段の検出温度に基づいて制御する構成とした請求項１〜４のいずれか１項記載の冷蔵庫。
【発明の詳細な説明】
【技術分野】
【０００１】
本発明は冷蔵庫、特にその冷蔵庫の野菜室における野菜の冷却保存構成に関するものである。
【背景技術】
【０００２】
一般に家庭用冷蔵庫は、冷蔵庫本体内に温度帯域の異なる複数の貯蔵室、例えば、冷蔵室、野菜室、冷凍室を設けて構成してある。そして、上記冷蔵室、野菜室、冷凍室のレイアウトはユーザの使用実態に合わせ大きく二分されており、その一つはユーザが最も使用しやすい冷蔵庫本体の上下略中央部分に冷凍室を配置するタイプであり、もう一つは同部分に野菜室を配置するタイプである。
【０００３】
前記冷蔵庫本体の上下略中央部分に冷凍室を配置するタイプの冷蔵庫は今日の冷蔵庫の主流となってきており、生活スタイルの変化に伴って冷凍食品を多用するユーザにとって使い勝手の良いものとなっていて、数多くのものが提案されている（例えば、特許文献１参照）。
【０００４】
図２６は特許文献１記載の冷蔵庫を示し、冷蔵庫本体１００の上部に冷蔵室１０１、下部に野菜室１０２を設け、これら両室の間となる冷蔵庫本体１００の上下略中央部分に冷凍室１０３が配置してある。そしてこの冷蔵庫は冷蔵庫本体１００の野菜室１０２と冷凍室１０３とにまたがってその背面に冷却室１０４を設け、この冷却室１０４に冷却器１０５と冷却ファン１０６を配置して、当該冷却器１０５で生成した冷気を前記冷却ファン１０６により冷蔵室１０１、野菜室１０３、冷凍室１０２に供給し循環させ、これら各室に貯蔵されている食品を冷却保存するようになっている。
【０００５】
また、冷蔵庫本体の上下略中央部分に野菜室を配置するタイプの冷蔵庫は真ん中野菜冷蔵庫と略称され、野菜等の出し入れを中心に使用されるユーザに使い勝手が良いとして提案されている（例えば、特許文献１参照）。
【０００６】
図２７は特許文献２に記載されている冷蔵庫を示し、冷蔵庫本体２００の上部に冷蔵室２０１、下部に冷凍室２０２を設け、これら両室の間となる冷蔵庫本２００の上下略中央部分に野菜室２０３が配置してある。そしてこの冷蔵庫も前記と同様、冷蔵庫本体２００の冷凍室２０２と野菜室２０３とにまたがってその背面に冷却室２０４を設け、この冷却室２０４に冷却器２０５と冷却ファン２０６を配置して、当該冷却器２０５で生成した冷気を前記冷却ファン２０６により冷蔵室２０１、野菜室２０３、冷凍室２０２に供給し循環させ、これら各室に貯蔵されている食品を冷却保存するようになっている。
【０００７】
上記いずれのタイプの冷蔵庫も、冷却室で生成した冷気は冷蔵室経由で野菜室に循環させ、この循環冷気によって野菜室内に収納した野菜を冷却保存している。
【先行技術文献】
【特許文献】
【０００８】
【特許文献１】特開２０１０−６０２５８号公報
【特許文献２】特開平９−１１３１０９号公報
【発明の概要】
【発明が解決しようとする課題】
【０００９】
しかしながら、上記従来の特許文献１、特許文献２記載のいずれの冷蔵庫も、野菜の冷却保存中に野菜室１０３，２０３で結露が生じることがあり、そのような場合この中に収納している野菜を劣化させてしまうという課題があった。
【００１０】
すなわち、野菜室１０３，２０３はその背面に位置する冷却室１０４，２０４から冷輻射を受け、この冷輻射のため野菜室１０３，２０３の背面付近の温度が低温化しやすく、そのためこの部分で結露が生じるのであった。特に野菜室１０３，２０３は前記した如く冷蔵室１０１，２０１を冷却した後の比較的温度の高い冷気が供給されており、このような状況下において前記野菜室１０３，２０３は、当該野菜室１０３，２０３の背部に設けてある冷却室１０４，２０４から強い冷輻射を受け続けるため当該部分、すなわち、冷却室１０４，２０４と対向する背面部分の温度が低下し、野菜室内の冷気温度との間に大きな温度差が生じて、野菜室１０３，２０３に設けてある野菜収納ケースの背面部付近に結露が生じるのである。
【００１１】
この結露は、通常の使用では生じないように前記冷却室１０４，２０４からの冷輻射を抑制する断熱構成としてあるが、野菜室１０３，２０３に多くの野菜或いはキャベツ等の大きな野菜等が一時的に収納された時にはこの野菜が持つ熱によって野菜近傍の温度が上昇し、前記冷却室１０４，２０４からの冷輻射によってどうしても温度差が大きくなって野菜室内の冷気が野菜収納ケースの壁面等に結露し始めるのであった。特に最近の冷蔵庫では、野菜収納ケースに飲料水やお茶、ジュース類の大型のペットボトルやパックも収納するようになってきており、しかも、そのペットボトル等は野菜に比べ常温であることが多いうえに熱容量が大きいため、野菜室１０３，２０３に収納された際、その収納直後から野菜及びペットボトル等近傍の温度が上昇し始めて前記冷却室１０４，２０４からの冷輻射に伴う温度差が大きくなりやすく、野菜室内冷気の結露による野菜劣化問題が顕在化する傾向にある。
【００１２】
そしてこのような問題は特に真ん中野菜と略称される冷蔵庫において生じやすい傾向があり問題化しやすかった。これは真ん中野菜タイプの冷蔵庫はその野菜室２０３の底面がその下方に位置する冷凍室２０２からも冷輻射を受けるため、この冷凍室２０２からの冷輻射も加わってこれら両者の相乗作用により野菜室２０３の背面下部近傍が低温化しやすいからであり、冷却室２０４が野菜室背面部分にまで位置することになる大型の冷蔵庫においては避けがたいことであった。
【００１３】
また、上記結露問題は、購入してきた野菜及びペットボトル等の飲料水やお茶、ジュース類の温度が比較的高くなりがちな夏場において生じやすく、その結果、この場合は野菜室全体の温度が高目になりがちで、結露水も多くなるとともに、野菜室温度が高めとなることも加わって野菜やペットボトル等を十分冷却保存できなくなり、野菜の劣化が早まると同時に、ユーザに対し冷蔵庫が冷えないという印象を与えてしまい、冷蔵庫に対する信頼性を低下させてしまうという恐れもあった。
【００１４】
このような問題を解決する手法の一つとして特開平１１−１１８３１４号公報に開示されているように冷却室を冷凍室の背面のみに設けて野菜室の背面部分には位置させないようにすることが考えられる。しかしながら、このような構成にすると、冷却室に設ける冷却器の大きさが限定されて冷却能力に制約が生じ、大能力の大型冷蔵庫には応用できず、よって大型冷蔵庫では冷却室からの冷輻射で生じる結露による野菜劣化問題を解消することができないことになる。
【００１５】
本発明はこのような点に鑑みてなしたもので、冷凍能力の大きな大型の冷蔵庫であっても野菜室内での結露を解消して野菜等を良好に冷却保存できる冷蔵庫を提供することを目的としたものである。
【課題を解決するための手段】
【００１６】
本発明は、上記従来の課題を解決するために、冷蔵室、冷凍室、野菜室に冷気を循環させる冷却ファンとともに当該冷却ファンとは別にさらに野菜室に野菜室ファンを設け、かつ前記野菜室の背面に前記冷却ファンによって循環される冷気戻り通路を設けるとともに、この冷気戻り通路と野菜室との間であって、前記野菜室の野菜ファン吸引側と排気側に前記冷気戻り通路と連通する野菜冷気入口および野菜冷気戻り口を設けた構成としてある。
【００１７】
これにより、この冷蔵庫では野菜室ファンを回転させることにより冷気戻り通路から野菜室内に冷気を取り入れこれを野菜室内で拡散または及び循環させて、冷却室からの冷輻射を受ける部分に大きな温度差が生じるのを抑制し、冷却室からの冷輻射に起因する結露発生を防止することができるとともに、冷気生成用の冷却器を大型化して冷却室が冷凍室と野菜室にまたがる大きな大能力の大型冷蔵庫になってもその冷却室からの冷輻射に起因する結露発生を抑制することができる。
【発明の効果】
【００１８】
本発明の冷蔵庫は、冷却能力が大きな冷蔵庫であっても野菜室内の結露発生を抑制し、良好な状態で野菜を冷却保存することができる信頼性の高い冷蔵庫とすることができる。
【図面の簡単な説明】
【００１９】
【図１】本発明の実施の形態１における冷蔵庫の正面図
【図２】同実施の形態１における冷蔵庫の扉を開いた時の正面図
【図３】同実施の形態１における冷蔵庫を示す図２のＡ−Ａ断面図
【図４】同実施の形態１における冷蔵庫を示す図２のＢ−Ｂ断面図
【図５】同実施の形態１における冷蔵庫の半裁斜視図
【図６】同実施の形態１における冷蔵庫の冷気流れを説明するための概略断面図
【図７】同実施の形態１における冷蔵庫の冷気流れを説明する概略正面図
【図８】同実施の形態１における冷蔵庫の冷却室背面部分の冷気流れを説明する斜視図
【図９】同実施の形態１における冷蔵庫を示す図３の要部拡大断面図
【図１０】同図９における冷気流れを説明するための概略断面図
【図１１】同実施の形態１における冷蔵庫を示す図４の要部拡大断面図
【図１２】同実施の形態１における冷蔵庫の野菜室における冷却ファン回転時の冷気流れを説明するための概略断面図
【図１３】同実施の形態１における冷蔵庫の野菜室における冷却ファン停止時の冷気流れを説明するための概略断面図
【図１４】同実施の形態１における冷蔵庫の野菜室と冷凍室を示す拡大正面図
【図１５】同図１４に示す冷蔵庫の野菜室と冷凍室の背面に設置された冷却ファンと冷却器を示す拡大正面図
【図１６】同実施の形態１における冷蔵庫の野菜室と冷凍室の背面壁部分を示す拡大斜視図
【図１７】同図１６に示す冷蔵庫の野菜室の背面壁部分を構成する奥面仕切壁ブロックの斜視図
【図１８】同図１７に示す野菜室の背面壁部分を構成する奥面仕切壁ブロックの分解斜視図
【図１９】同図１７に示す冷凍室の背面壁部分を構成するブロックの分解斜視図
【図２０】同実施の形態１における冷蔵庫の貯蔵室と野菜室を仕切る仕切板と冷却ファンの斜視図
【図２１】同図２０における仕切板と冷却ファンの分解斜視図
【図２２】同実施の形態１における冷蔵庫の野菜収納ケースを示す斜視図
【図２３】同実施の形態１における冷蔵庫の制御ブロック図
【図２４】同実施の形態２における冷蔵庫の野菜室の冷却ファン回転時の冷気流れを説明するための概略断面図
【図２５】同実施の形態２における冷蔵庫の野菜室の冷却ファン停止時の冷気流れを説明するための概略断面図
【図２６】従来の冷蔵庫の概略断面図
【図２７】同従来の他の冷蔵庫の概略断面図
【発明を実施するための形態】
【００２０】
第１の発明は、冷蔵室、野菜室、冷凍室を備え、前記冷凍室および野菜室の背面に冷気生成用の冷却器と冷却器で生成した冷気を前記冷蔵室、野菜室、冷凍室に供給循環させる冷却ファン等とを具備する冷却室を備えた冷蔵庫であって、前記冷蔵室、冷凍室、野菜室に冷気を循環させる前記冷却ファンとは別にさらに前記野菜室に野菜室ファンを設け、かつ前記野菜室の背面に前記冷却ファンによって循環される冷気戻り通路を設けるとともに、この冷気戻り通路と野菜室との間であって、前記野菜室の野菜ファン吸引側と排気側に前記冷気戻り通路と連通する野菜冷気入口および野菜冷気戻り口を設けた構成としてある。
【００２１】
これにより、この冷蔵庫では野菜室ファンを回転させることにより冷気戻り通路から野菜室内に冷気を取り入れこれを野菜室内で拡散または及び循環させて、冷却室からの冷輻射を受ける部分に大きな温度差が生じるのを抑制し、冷却室からの冷輻射に起因する結露発生を防止することができるとともに、冷気生成用の冷却器を大型化して冷却室が冷凍室と野菜室にまたがる大きな大能力の大型冷蔵庫になってもその冷却室からの冷輻射に起因する結露を抑制することができる。よって、小能力の小型冷蔵庫から大能力の大型冷蔵庫に至る全域の冷蔵庫において、その冷却室からの冷輻射で生じる結露水による野菜劣化を抑制し、より良好な状態で野菜を冷却保存することが可能となる。
【００２２】
第２の発明は、第１の発明において、野菜室ファンと野菜冷気入口は野菜室の背面下部に配置するとともに、前記野菜室の上部には野菜冷気戻り口と連通する野菜冷気吸込み口を設けた構成としてある。
【００２３】
これにより、野菜室ファンは野菜室内に冷気を安定的かつ効率よく取り込んで同野菜室内で拡散または循環させることができるから、結露発生をより確実に抑制し良好な状態で野菜を冷却保存することが可能となる。
【００２４】
第３の発明は、第１の発明において、野菜室ファンと野菜冷気入口とは野菜室の天井部に配置するとともに、野菜室ファンは野菜室上部に吹き出し口を開口させ、かつ、野菜冷気戻り口を野菜室の下部に設けた構成としてある。
【００２５】
これにより、前記第２の発明と同様、野菜室ファンは野菜室内に冷気を安定的かつ効率よく取り込んで同野菜室内で拡散または循環させることができるから、結露発生をより確実に抑制し良好な状態で野菜を冷却保存することが可能となる。
【００２６】
第４の発明は、第３の発明において、野菜室は冷蔵室の下部に配置するとともに、野菜室ファンは野菜室と冷蔵室との間を仕切って野菜室の天井を構成する仕切板内に斜めに傾斜させて配置した構成としてある。
【００２７】
これにより、野菜室の冷却を効率の良いものとしつつ野菜室の容積も確保する形で野菜室ファンを野菜室内に設けることができる。すなわち、野菜室の上部に冷蔵室が位置しているので野菜室はこの冷蔵室からの冷輻射によって適度に冷却され、その結果、仕切板は断熱強化のための断熱材を組み込む必要がなくなるのでそのスペースを利用して野菜室ファンを組み込むことができ、しかも野菜室ファンは傾斜させて配置してあるから、野菜室ファンを組み込んでいるのにもかかわらず仕切板厚さを大きく増加させる必要がなくなり、その分野菜室の容積を大きく確保することができる。
【００２８】
第５の発明は、第１〜第４の発明において、野菜室ファンは野菜室に設けた野菜室温度検出手段の検出温度に基づいて制御する構成としてある。
【００２９】
これにより、野菜室の温度が所定温度以上になれば野菜室ファンを駆動させて野菜室内の冷気を拡散または及び循環させることができるとともに、前記所定温度よりもさらに高い温度になれば野菜室ファンの回転数を上げて冷気の拡散または及び循環量を増強し、更には新鮮な低温冷気を取り込み混入させるタイプではその混入量を増加させることもできて野菜室を確実に冷却することができ、夏場における冷却不足を解消し野菜等の良好な冷却保存を確実に実現して冷蔵庫の信頼性を高めることができる。
【００３０】
以下、本発明の実施の形態について、図面を参照しながら説明する。尚、この実施の形態ではいわゆる真ん中野菜と略称されるタイプの冷蔵庫を例にして説明するが、これによって、本発明が限定されるものではない。
【００３１】
（実施の形態１）
図１は本発明の実施の形態１における冷蔵庫の正面図、図２は同実施の形態１における冷蔵庫の扉を開いた時の正面図、図３は同実施の形態１における冷蔵庫を示す図２のＡ−Ａ断面図、図４は同実施の形態１における冷蔵庫を示す図２のＢ−Ｂ断面図、図５は同実施の形態１における冷蔵庫の半裁斜視図、図６は同実施の形態１における冷蔵庫の冷気流れを説明するための概略断面図、図７は同実施の形態１における冷蔵庫の冷気流れを説明する概略正面図、図８は同実施の形態１における冷蔵庫の冷却室背面部分の冷気流れを説明する斜視図、図９は同実施の形態１における冷蔵庫を示す図３の要部拡大断面図、図１０は同図９における冷気流れを説明するための概略断面図、図１１は同実施の形態１における冷蔵庫を示す図４の要部拡大断面図、図１２は同実施の形態１における冷蔵庫の野菜室における冷却ファン回転時の冷気流れを説明するための概略断面図、図１３は同実施の形態１における冷蔵庫の野菜室における冷却ファン停止時の冷気流れを説明するための概略断面図、図１４は同実施の形態１における冷蔵庫の野菜室と冷凍室を示す拡大正面図、図１５は同図１４に示す冷蔵庫の野菜室と冷凍室の背面に設置された冷却ファンと冷却器を示す拡大正面図、図１６は同実施の形態１における冷蔵庫の野菜室と冷凍室の背面壁部分を示す拡大斜視図、図１７は同図１６に示す冷蔵庫の野菜室の背面壁部分を構成する奥面仕切壁ブロックの斜視図、図１８は同図１７に示す野菜室の背面壁部分を構成する奥面仕切壁ブロックの分解斜視図、図１９は同図１７に示す冷凍室の背面壁部分を構成するブロックの分解斜視図、図２０は同実施の形態１における冷蔵庫の貯蔵室と野菜室を仕切る仕切板と冷却ファンの斜視図、図２１は同図２０における仕切板と冷却ファンの分解斜視図、図２２は同実施の形態１における冷蔵庫の野菜収納ケースを示す斜視図、図２３は同実施の形態１における冷蔵庫の制御ブロック図である。
【００３２】
まず、冷蔵庫の全体構成について説明する。
【００３３】
＜冷蔵庫本体構成＞
図１〜図６において、本実施の形態に係る冷蔵庫は、前方を開口した冷蔵庫本体１を備え、この冷蔵庫本体１は、図３等に示すように主に鋼板を用いた外箱２と、ＡＢＳなどの硬質樹脂で成型された内箱３と、前記外箱２と内箱３との間に発泡充填された硬質発泡ウレタンなどの発泡断熱材４とから構成されている。冷蔵庫本体１は、仕切板５．６によって複数の貯蔵室に区分されており、冷蔵庫本体１の最上部には冷蔵室７、その冷蔵室７の下部に野菜室８、そして最下部に冷凍室９が配置されていて、真ん中野菜室タイプの冷蔵庫となっている。前記各貯蔵室の前面開口部は、扉１０、扉１１、扉１２によって開閉可能に閉塞されている。
【００３４】
冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３５】
また、冷蔵庫本体１の背面には冷気を生成する冷却室１６が設けられている。この冷却室１６は冷凍室９の背面から野菜室８の下部背面に渡って形成されており、野菜室８との間は発泡スチロール等によって断熱性を持たせた奥面仕切壁体１７を設けて断熱仕切りしている。
【００３６】
冷却室１６内には冷却器１８が配設されており、冷却器１８の上部には冷却ファン１９が配置されている。前記冷却ファン１９は、冷却器１８により冷却された冷気を冷蔵室７、野菜室８、冷凍室９に強制循環させて各室を冷却するものである。例えば、冷蔵室７は通常食品が凍らない程度の温度１℃〜５℃に冷却し、野菜室８は冷蔵室７と同等もしくは若干高めの温度２℃〜７℃に冷却している。また、冷凍室９は冷凍保存のために通常−２２℃〜−１５℃の冷凍温度帯に冷却しており、場合によっては冷凍保存状態向上のために、例えば−３０℃や−２５℃の低温に冷却することもある。
【００３７】
上記冷却ファン１９は図２０に示すように野菜室８と冷却室１６とを仕切る仕切板６に組み付け、この仕切板６を冷蔵庫本体１の内箱３にセットすることによって取り付けてある。この状態で上記冷却ファン１９は図９、図１０に示すように野菜室８の背面と対向する部分に位置し、野菜室８との間を仕切る奥面仕切壁体１７に向けて冷気を送風し、野菜室下部背面に強い冷輻射をもたらす。
【００３８】
上記仕切板６と冷却ファン１９は図２１の分解斜視図に示すように構成されている。すなわち、仕切板６は上面部材６ａと下面部材６ｂとの間に発泡断熱材４（この図２１では図示せず）を充填して構成されていて、奥部側に開口２０が形成されている。この開口２０の上部に前記した冷却ファン１９が組み付けられており、下方には前記冷却室１６の冷却器１８が位置している。上記開口２０はその下方に位置する冷却器１８の上面投影面積よりも大きく形成されるとともに、下面部材６ｂの開口背面側縁部分の下面には下方に突出する突片２１が、また上面には上面部材６ａの開口縁よりも上方に突出する上向き突片２２がそれぞれ形成されている。また、仕切板６には冷却ファン１９よりも前方の野菜室底面となる部分にシーズヒータ等からなる結露防止用の第一のヒータ２３が埋設されている。
【００３９】
なお、図中２４は開口２０の開口縁前方部分を覆う断熱性遮壁で、発泡スチロール等で構成されており、その一側部片には仕切板６に設けられている冷気戻り通路用開口２５と対応する通路開口２６が形成されている。また、仕切板６の冷気戻り通路用開口２５と反対側部分には冷凍室９に設けられる製氷装置への水供給用のタンク設置部２７が形成されている。
【００４０】
また、前記冷却器１８の下部空間には、図９等に示すように冷却器１８やその周辺に付着する霜や氷を除霜する除霜ヒータ２８が配置されている。除霜ヒータ２８の下部には除霜時に生じる除霜水を受けるためのドレンパン２９が配置され、除霜水はドレンパン２９の最深部から図示しないドレンチューブを介して庫外の蒸発皿に排出するようになっている。
【００４１】
次に冷気循環構成について説明する。
【００４２】
＜冷気循環通路構成＞
冷気を生成する冷却室１６は、図９、図１０等に示すように前記した奥面仕切壁体１７と冷蔵庫本体１との間に形成されている冷却室冷気搬送路３０に冷却ファン１９の下流が開口しており、この冷却室冷気搬送路３０を介して各室に冷気を送風する。
【００４３】
冷却室冷気搬送路３０の上部は図７、図８、図１０、特に図１０に示すように冷蔵室ダンパ３１を介して冷蔵室７の背面略中央部に形成されている冷蔵冷気往き通路３２と連通している。冷蔵冷気往き通路３２の側方には図７、図８に示すように冷蔵室７からの冷蔵冷気戻り通路３３が隣接設置されていて、その下部は野菜室８、冷却室１６に連通している。
【００４４】
冷蔵室７には図７に示すようにその奥壁上部適所に冷蔵冷気往き通路３２の冷蔵冷気入口３５が設けてあり、同奥壁下部適所には前記冷蔵冷気戻り通路３３へ開口する冷蔵冷気戻り口３６が設けられていて、冷却室１６からの冷気は冷蔵室ダンパ３１を介して冷蔵冷気往き通路３２に供給され、その冷蔵冷気入口３５から冷蔵室７に供給される。一方、冷蔵室冷却後の冷気は冷蔵冷気戻り口３６から冷蔵冷気戻り通路３３を介して野菜室８に供給され、かつ冷却室１６へと循環する。また、この冷蔵室７には後述するようにその下部にパーシャル室が設けられていて、当該パーシャル室には図８に示すようにパーシャル室ダンパ３１ａ、パーシャル室冷気往き通路３２ａ、パーシャル室冷気入口３５ａを介して冷気が供給されるようになっている。
【００４５】
この実施の形態では、同図８から明らかなように、前記奥面仕切壁体１７と仕切板６の背面に、前記冷却室冷気搬送路３０と冷蔵冷気往き通路３２及びパーシャル室冷気往き通路３２ａとを連絡する往き通路３７と、冷蔵冷気戻り通路３３と野菜室８、冷却室１６とを連絡する戻り通路３８が形成されていて、前記冷蔵室ダンパ３１はこの往き通路３７に設けられている。
【００４６】
そして、前記冷蔵冷気往き通路３２と冷蔵冷気戻り通路３３との間に連通路３９が形成されていて、冷蔵冷気往き通路３２を流れる低温冷気の一部が直接冷蔵冷気戻り通路３３に混入するように構成されている。
【００４７】
また、冷凍室９の背面には図８に示すように前記冷却室１６の冷却ファン１９及び冷却器１８の側方を下向きに延びる冷気戻りダクト４０が設けられており、この冷気戻りダクト４０の上部が上記戻り通路３８を介して野菜室８に連通するとともにその下部が冷却室１６の下部近傍に開口していて、前記野菜室８冷却後の冷気が冷気戻りダクト４０を介してその下部開口から冷却室１６へと循環するように構成されている。
【００４８】
一方、冷凍室９は図１０に示すようにその背面壁体４１の上部に前記奥面仕切壁体１７背面の冷却室冷気搬送路３０下部に連通する冷凍冷気入口４２が、下部に前記冷却室１６の下部に開口する冷凍冷気戻り口４３が形成されていて、冷却室１６からの冷気が冷却室冷気搬送路３０下部から冷凍冷気入口４２を介して供給され、冷凍室冷却後の冷気が冷凍冷気戻り口４３を介して冷却室１６へと循環する。
【００４９】
＜野菜室構成＞
野菜室８は図７、図８、図１２に示すように奥壁左右いずれか一方寄り部分、この実施の形態では正面から見て右側部分の下部であって前記冷蔵冷気戻り通路３３からの戻り通路３８部分に開口した野菜冷気入口４４が設けられ、この野菜冷気入口４４の略上方位置部分に前記戻り通路３８に開口して冷却室１６へとつながる野菜冷気戻り口４６が設けられている。上記野菜冷気入口４４は、図８に示すように、冷却ファン１９のベルマウス開口下端より上方に位置するように設けて、冷却ファン１９停止時に冷却室１６内の低温冷気が戻り通路３８へと逆流した場合、前記野菜冷気入口４４より野菜室８に冷気が流入しないようにしてある。
【００５０】
さらにこの野菜室８には、特に図１２に示すように当該野菜室８背面下部に設けた野菜冷気入口４４の前方部分にプロペラファン等からなる野菜室ファン５３が配置してある。
【００５１】
上記野菜室ファン５３は野菜冷気入口４４の前方に位置し、前から見て野菜室ファン５３と野菜冷気入口４４が重なるように設置される。なお、野菜室８の冷却量が大きく必要な場合は野菜冷気入口４４の開口面積を大きく、冷却量が小さくてよい場合は野菜冷気入口４４の開口面積を小さくすることが有効であるが、いずれの場合も野菜冷気入口４４の下端は野菜室ファン５３の上端より低い位置に設け、前後に重なるように設置する。
【００５２】
さらにまた、この野菜室８にはその上部に後部が前記野菜冷気戻り口４６に開口し、前方が野菜室８内に開口する第一の野菜冷気吸込み口４７を備えた第一の通路４７ａが形成されている。
【００５３】
加えてこの実施の形態の野菜室８には図１４、図１７等に示すようにその奥の面となる奥面仕切壁体１７の上部であって前記野菜冷気入口４４の対角位置となる部分、この実施の形態では左奥側上部に、第二の野菜冷気吸込み口５１が設けられており、この第二の野菜冷気吸込み口５１を備えた第二の通路５１ａも図１２に示すように前記野菜冷気戻り口４６に連通している。
【００５４】
図１８は上記第二の野菜冷気吸込み口５１を備えた奥面仕切壁体１７の分解斜視図で、発泡スチロール（図示せず）を介して前仕切板１７ａと後仕切板１７ｂとを重合させて構成してあり、その下部には既に述べたように野菜室ファン５３が組み込まれている。この野菜室ファン５３の吹出口５４は野菜室８内に開口していて、野菜冷気入口４４からの冷気と第一の野菜冷気吸込み口４７及び第二の野菜冷気吸込み口５１からの野菜室冷気を野菜室８内に送風するようになっている。上記野菜室ファン５３の吹出口５４は後述する下段野菜収納ケース４９ａの後面に向かって開口しており、当該野菜室ファン５３と対向する前記下段野菜収納ケース４９ａの後下部は下方ほど前方に位置する傾斜面５５となっていて、野菜室ファン５３からの冷気が下段野菜収納ケース４９ａの下面空間へと集中的に流れる様に構成されている。
【００５５】
また、上記奥面仕切壁体１７の前記冷却室１６と対向する面には図１０に示すようにシーズヒータ等からなる結露防止用の第二ヒータ５６が埋設してある。この第二ヒータ５６は前記冷却室１６の上部と対向する位置であって冷却室１６から冷蔵室７への冷気を開閉する冷蔵室ダンパ３１よりも下方位置の低温の冷却室温度帯域に設置されている。
【００５６】
更にこの低温の冷却室温度帯域となる冷却室冷気搬送路３０内には前記冷却ファン１９、仕切板６内の第一のヒータ２３、奥面仕切壁体１７内の第二ヒータ５６等の電気部材のコネクタ接続部（ボックス５７（図１５参照））が設置されており、この冷却室温度帯域となる冷却室冷気搬送路３０内で電気的接続がなされている。
【００５７】
なお、上記野菜室８には、図１１等に示すように野菜収納ケース４８が配置されており、この野菜収納ケース４８は扉１１のフレームに載置された下段野菜収納ケース４９ａと、下段野菜収納ケース４９ａの上に載置された上段野菜収納ケース４９ｂとから構成されている。そして上記野菜室８は上記野菜収納ケース４８とその下の仕切板６及び野菜室８の内周壁面との間に空間が設けられ、当該空間は前記野菜冷気入口４４からの冷気が流れる風路を構成している。
【００５８】
また、上記野菜収納ケース４８の上段野菜収納ケース４９ｂの上部開口縁は野菜室８上部の仕切板５と近接した部分に位置していて、野菜冷気入口４４からの冷気が野菜収納ケース４８の上段野菜収納ケース４９ｂ及び下段野菜収納ケース４９ａ内に直接入り込むことがないように構成されている。上段野菜収納ケース４９ｂの上部開口にこれを閉塞する蓋を設けて冷気の野菜収納ケース４８内への侵入をより確実に防止するようにしてもよい。
【００５９】
また、下段野菜収納ケース４９ａは図２２に示すようにケース仕切板５８によって左右に分割されており、前記野菜冷気入口４４と対向する側、この実施の形態では右側部分を一段深くしてペットボトルやパック等の非野菜収納部（以下、ペットボトル等収納部と称す）５９としてある。なお、このペットボトル等収納部５９は野菜室８内を前後に仕切ってその前側部分をペットボトル等収納部としてもよい。
【００６０】
＜冷蔵室構成＞
冷蔵室７は図４等に示すように内部に複数の収納棚６０を有するとともに、準冷凍温度帯に冷却できるパーシャル室６１を備え、それぞれの適所に既に述べた冷蔵冷気入口３５及び冷蔵冷気戻り口３６（いずれも図７参照）が設けられている。そして、冷蔵室７の側壁適所には各室の庫内温度設定や製氷および急速冷却などの設定を行う操作部６２が配置されている。
【００６１】
＜冷凍室構成＞
また。冷凍室９は既に図１０を用いて述べたようにその奥壁上部に前記奥面仕切壁体１７背面の冷却室冷気搬送路３０下部と連通する冷凍冷気入口４２が形成され、さらに奥壁下部に前記冷凍室９に連通する冷凍冷気戻り口４３が形成されている。そして構造図には図示していないが、冷却室１６から冷凍室９への通路の適所にも冷凍室ダンパが組み込まれている。なお、この冷凍室９にも、図４等に示すようにその扉１２のフレームに載置された冷凍室ケース６３が設けられており、更にその冷凍室ケース６３の上部には製氷装置６４が組み込まれている。
【００６２】
次にこの冷蔵庫の制御構成について説明する。
【００６３】
＜制御構成＞
図２３は本実施の形態の冷蔵庫における制御ブロック図を示し、６５は冷蔵室温度検知手段、６６は野菜室温度検知手段、６７は冷凍室温度検知手段で、いずれもサーミスタで形成してあり、それぞれ冷蔵室７、野菜室８、冷凍室９の適所に設置されている。６８は冷蔵庫全体を統括制御する制御部で、マイクロコンピュータ等によって構成してあり、前記冷蔵室温度検知手段６５、冷凍室温度検知手段６７からの出力に基づきあらかじめ組み込まれた制御ソフトにしたがって冷蔵室ダンパ３１、冷凍室ダンパ３４を開閉制御するとともに、圧縮機１５、冷却ファン１９及び必要に応じて第一、第二のヒータ２３、５６を駆動して各室を設定温度に制御する。さらにこの制御部６８は冷蔵室温度検知手段６５及び野菜室温度検知手段６６からの出力に基づき野菜室８の野菜室通路部５０に組み込んだ野菜室ファン５３の運転を制御するようになっている。具体的には冷蔵室温度検知手段６５及び野菜室温度検知手段６６が検出する温度がそれぞれの設定温度よりも高い温度をいずれか一方が検知すると野菜室ファン５３を駆動するようになっている。
【００６４】
さらにまた、冷蔵室温度検知手段６５及び野菜室温度検知手段６６が検出する温度が常に低く、一定時間以上連続して冷蔵室ダンパ３１が開かないときにも野菜室ファン５３を駆動するようになっている。
【００６５】
以上のように構成された冷蔵庫について、以下その動作、作用を説明する。
【００６６】
まず、冷凍サイクルの動作について説明する。
【００６７】
庫内の設定された温度に応じて制御部６８からの信号により冷凍サイクルが動作し冷却運転が行われる。圧縮機１５の動作により吐出された高温高圧の冷媒は、凝縮器（図示せず）である程度凝縮液化し、さらに冷蔵庫の側面や背面、また冷蔵庫の前面間口に配設された冷媒配管（図示せず）などを経由し冷蔵庫の結露を防止しながら凝縮液化し、キャピラリーチューブ（図示せず）に至る。その後、キャピラリーチューブでは圧縮機１５への吸入管（図示せず）と熱交換しながら減圧されて低温低圧の液冷媒となって冷却室の冷却器１８に至る。
【００６８】
ここで、前記冷却器１８内の冷媒は蒸発気化し、当該冷却器１８を有する冷却室１６で各貯蔵室を冷却するための冷気が生成される。
【００６９】
次に冷気循環による冷却動作について説明する。
【００７０】
冷却室１６内で生成された低温の冷気は、冷却ファン１９によって、冷却室冷気搬送路３０から冷蔵室７と冷凍室９に送られ、冷蔵室７に供給された冷気は冷蔵室７を冷却した後、野菜室８に供給され、それぞれの室が設定温度に冷却される。そして、各室を冷却したのちの冷気は、再び冷却室１６に戻って冷却器１８により冷却され、冷却ファン１９で各室に循環していく。また、上記各室への冷気供給は、制御部６８が冷蔵室温度検知手段６５及び冷凍室温度検知手段６７の検出温度に基づき圧縮機１５と冷却ファン１９を運転／停止、及び冷蔵室ダンパ３１、冷凍室ダンパ３４を開・閉制御し、それぞれの室が設定温度帯に維持されるようになっている。
【００７１】
次に、本発明の特徴となる野菜室８の冷却動作について詳しく説明する。
【００７２】
野菜室８は冷蔵冷気戻り通路３３からの冷蔵室冷却後の冷気が図１２に示すように冷気の戻り通路３８に設けられている野菜冷気入口４４から流れ込み冷却される。
【００７３】
ここで、この冷蔵庫では図１２で示すように野菜室８内に野菜室ファン５３が設けられているから、野菜室ファン５３の回転によって、前記野菜冷気入口４４から野菜室８内に多くの冷気を吸引し、野菜室ファン５３の吹出口５４より野菜室８内の下段野菜収納ケース４９ａ後面に向かって供給されることになる。
【００７４】
野菜室８の下段野菜収納ケース４９ａに向かって供給された冷気は、図１２の実線矢印で示すように野菜収納ケース４８と野菜室８の底面及び内周壁との間の空間を流れ、大部分の冷気は第一の野菜冷気吸込み口４７、第二の野菜冷気吸込み口５１から第一の通路４７ａ、第二の通路５１ａを介して野菜冷気戻り口４６より戻り通路３８へと流出するとともに、他の一部の冷気は破線矢印で示すように野菜室８内を拡散または及び循環する。
【００７５】
一方、全ての貯蔵室が設定温度を下回り圧縮機１５及び冷却ファン１９の動作が停止した状態で野菜室ファン５３が回転すると、全ての冷気は流れが停止し、冷気の戻り通路３８での冷気の流れがなくなる。この場合、第一の野菜冷気吸込み口４７、第二の野菜冷気吸込み口５１及び第一の通路４７ａ、第二の通路５１ａの通気抵抗が野菜室８内の通気抵抗に比べて大きいため、野菜室ファン５３は、図１３の実線矢印で示すように野菜室８内で冷気のすべてを拡散およびまたは循環させるようになる。
【００７６】
この野菜室ファン５３によって拡散または及び循環する冷気は、野菜室８の背面に位置する冷却室１６からの冷輻射および下方に位置する冷凍室９からの冷輻射によって低温化しやすい野菜室背面下部付近の温度を野菜室８内に拡散させ、野菜室８内の温度を下げてより効果的に野菜室８内を冷却すると同時に、野菜室背面下部付近に極端な低温化や温度差が生じるのを防止し、この冷却室１６や冷凍室９からの冷輻射が原因となる結露発生を抑制する。
【００７７】
以上のようにしてこの冷蔵庫は冷却運転中と冷却停止中の何れの場合でも野菜室８の局部的な低温化による結露発生を防止するから、冷気生成用の冷却器１８を大型化して冷却室１６が冷凍室９と野菜室８にまたがる大きな大能力の大型冷蔵庫であっても、その冷却室１６からの冷輻射に起因する結露を抑制することができる。したがって、小能力の小型冷蔵庫から大能力の大型冷蔵庫に至る全域の冷蔵庫において、その冷却室１６からの冷輻射で生じる結露水による野菜劣化を抑制し、良好な状態で野菜を冷却保存することが可能となる。
【００７８】
しかも、本実施の形態における冷蔵庫は、野菜室８を冷蔵室７と冷凍室９との間となる冷蔵庫本体１上下略中央部分に設けた真ん中野菜室タイプの冷蔵庫となっているから、前記した如く結露発生を防止して野菜を良好な状態に冷却保存しつつ、野菜等の出し入れを中心に使用されるユーザの使い勝手を高めることができ、効果的である。
【００７９】
加えて、前記野菜室ファン５３は野菜冷気入口４４の前方でかつ前から見て重なる位置に設けているため、野菜室ファン５３の吸込み側の風路面積を大きくすることができ野菜室ファン５３の風路抵抗を小さくすることができる。これにより、野菜室８内のより多くの冷気を拡散及び循環させることができるため、結露発生の抑制効果を更に高めることができる。
【００８０】
また、上記野菜室ファン５３は野菜収納ケース４８の下段野菜収納ケース４９ａ及び上段野菜収納ケース４９ｂの外周に向けて冷気を拡散または及び循環させるから、野菜室ファン５３によって拡散または及び循環する冷気が下段野菜収納ケース４９ａ及び上段野菜収納ケース４９ｂ内に入って野菜同士の間を流れることを抑制でき、野菜同士の間を冷気が流れることによって生じがちな野菜の乾燥劣化も防止して新鮮かつ良好な状態で野菜を冷却保存することができる。
【００８１】
特にこの実施の形態では上記下段野菜収納ケース４９ａ及び上段野菜収納ケース４９ｂで構成される野菜収納ケース４８の上部に野菜室内を拡散または循環する冷気の吸込み口ともなる第一の野菜冷気吸込み口４７及び第二の野菜冷気吸込み口５１を設けているから、野菜室８内を拡散または及び循環する冷気は下段野菜収納ケース４９ａ及び上段野菜収納ケース４９ｂからなる野菜収納ケース４８内に入り込むことなくそのまま第一の野菜冷気吸込み口４７及び第二の野菜冷気吸込み口５１へと流れる様になり、より確実に野菜の乾燥劣化を防止して新鮮かつ良好な状態で野菜を冷却保存することができる。この野菜の乾燥劣化防止効果は上段野菜収納ケース４９ｂの上面開口縁を野菜室天井面ともなる仕切板５に近接させることでより高めることができるとともに、当該上面面開口を覆う蓋を設ければさらに効果的に高めることができる。
【００８２】
加えて、上記野菜室ファン５３は下段野菜収納ケース４９ａ及び上段野菜収納ケース４９ｂで構成される野菜収納ケース４８の上部開口縁より下方部分に位置しているから、野菜室ファン５３から送風される冷気は野菜収納ケース４８のうち、特にその下段野菜収納ケース４９ａの底面及び下部外周付近を拡散または及び循環するようになる。したがって、この野菜室ファン５３によって拡散または及び循環する冷気はさらに野菜収納ケース４８内に入り込みにくいものとなり、野菜収納ケース４８内に冷気が入り込んで循環することにより生じる野菜の乾燥劣化をこの点からも確実に防止することができ、より新鮮かつ良好な状態で野菜を冷却保存することができる。
【００８３】
加えて、この実施の形態では上記野菜収納ケース４８はその下段野菜収納ケース４９ａの内部を左右に仕切ってその一方にペットボトルやパック等の非野菜収納部５９（以下、ペットボトル等収納部５９と称す）を設け、このペットボトル等収納部５９側の野菜室背面部分に野菜室ファン５３を設けて、当該ペットボトル等収納部５９に向けて野菜室内の冷気を拡散または及び循環させるように構成してあるから、野菜室ファン５３からの冷気はペットボトル等収納部５９の周りを集中的に循環するようになり、ペットボトル等収納部５９に収納されているペットボトルやパック等を効率よく冷却することができる。特にペットボトル等収納部５９に収納されているペットボトルやパック等の飲料水等は野菜よりも熱容量が大きくて冷えにくいことから効果的であり、これによってペットボトル等の収納による野菜室温度の上昇を効率よく抑制し、結露発生を効果的に防止すると同時に野菜の保存も良好に行うことができる。
【００８４】
特にこの実施の形態では、野菜室ファン５３とともに野菜室８に設けた第一の野菜冷気吸込み口４７をも野菜収納ケース４８のペットボトル等収納部５９側の部分に設けた構成としてあるから、野菜室ファン５３からの冷気をペットボトル等収納部分にさらに効率よく集中的に循環させることができ、効果的である。
【００８５】
また、野菜室８内の冷気を循環させるためのもう一つの吸込み口ともなる第二の野菜冷気吸込み口５１を野菜室ファン５３と略対角位置の野菜室上部に設けた構成としてあるから、野菜室ファン５３からの冷気は野菜収納ケース４８のペットボトル等収納部５９の底面部分を通って前方へと野菜室８内を斜めに縦断しながら拡散または及び循環して野菜室上部の第二の野菜冷気吸込み口５１へとｍ流れる様になるので、下段野菜収納ケース４９ａ及び上段野菜収納ケース４９ｂからなる野菜室ケース内への冷気の入り込みを防止しつつ下段野菜収納ケース４９ａ及び上段野菜収納ケース４９ｂからなる野菜ケースの外周に広範囲に冷気を拡散または及び循環させることができ、野菜及びペットボトル等を効果的に冷却することができる。
【００８６】
また、この冷蔵庫は、冷蔵冷気往き通路３２と冷蔵冷気戻り通路３３との間に連通路３９が形成してあり、野菜室ファン５３が回転するとその吸引力によって冷蔵冷気往き通路３２内の低温な新鮮冷気が冷蔵冷気戻り通路３３内に直接混入して戻り通路３８を介し野菜冷気入口４４から野菜室８内に供給される。すなわち、野菜室８は、冷蔵室７からの冷蔵室冷却後の比較的温度が高くなっている戻り冷気によって冷却されるが、この冷蔵庫では野菜室ファン５３の回転により前記冷蔵室冷却後の冷気に低温の新鮮冷気が混入して低温化された冷気で野菜室８を冷却することになる。
【００８７】
したがって野菜室８を効果的に冷却することができ、例えば、野菜やペットボトル等が一時的に多く収納された時などのように冷却負荷条件が悪いときでも、野菜室８を確実に冷却することができる。また、上記連通路３９を介して取り込む低温の新鮮冷気の量は野菜室ファン５３の回転数を上げることによって増加させることができ、夏場で熱容量の大きい常温のペットボトル等が大量に収納された時でも、これを確実に冷却することができる。しかも野菜室８を確実に冷却できるので、冷却室１６からの冷輻射による結露発生も効率よく抑制でき、野菜を良好な状態で冷却保存することができる。
【００８８】
また、上記野菜室ファン５３は、冷蔵室温度検知手段６５からの出力によって冷蔵室ダンパ３１を開いて冷蔵室７及び野菜室８を冷却しているときに作動し野菜室８内の冷気を拡散または及び循環させるが、この実施の形態では野菜室８に設けた野菜室温度検知手段６６の検出温度に基づいても制御するようにしてあるから、冷蔵室７の温度が高くて冷却動作を行なっていないときでも野菜室８の温度が設定温度以上になると回転し始め、野菜室８内に冷気を拡散または及び循環させるようになる。したがって、野菜室温度が高くなって冷却室１６からの冷輻射により大きな温度差が生じ結露が発生しやすい条件になると、野菜室ファン５３が回転してこれを解消し、効果的に結露発生を防止することができる。
【００８９】
また、上記野菜室８の温度が、野菜室ファン５３の回転にもかかわらず前記設定温度よりも若干高い温度に設定している第二設定温度より高くなるようなことがあれば、野菜室ファン５３の回転数を上げて冷気の拡散または及び循環量を増強し、更には低温の新鮮冷気の取り込み混入量を増加させることができ、野菜室８を確実に冷却することができる。よって、夏場における冷却不足を解消し野菜等の良好な冷却保存を確実に実現して冷蔵庫の信頼性を高めることができる。
【００９０】
（実施の形態２）
図２４は実施の形態２における冷蔵庫の野菜室における冷却ファン回転時の冷気流れを説明するための概略断面図、図２５は同実施の形態２における冷蔵庫の野菜室における冷却ファン停止時の冷気流れを説明するための概略断面図図である。
【００９１】
この実施の形態では、野菜室ファン５３を野菜冷気入口４４とともに野菜室８の天井部に配置するとともに、野菜室ファン５３は野菜室上部に吹出口５４を開口させ、かつ、野菜冷気戻り口４６を野菜室８の下部に設けた構成としてある。そして上記野菜室ファン５３は野菜室８と冷蔵室７との間を仕切って野菜室８の天井を構成する仕切板５内に斜めに傾斜させて配置してある。
【００９２】
これにより、この実施の形態の冷蔵庫では、野菜室ファン５３が回転すると、図２４の実線矢印に示すように野菜室ファン５３は野菜冷気入口４４から戻り通路３８の冷気を吸引して野菜室８内に供給し、大部分の冷気を野菜冷気戻り口４６から戻り通路３８へと戻すとともに、他の冷気は破線矢印で示すように野菜室８内に拡散及び循環させるようになる。すなわち、前記実施の形態１と同様、冷気を安定的かつ効率よく取り込んで同野菜室８内で循環することになる。また、野菜室ファン５３が停止したときには、図２５の実線矢印で示すように大部分の冷機は戻り通路３８を介して一部の冷気は破線矢印で示すように野菜室８内を冷気が拡散または及び循環する。よって、野菜室８内での結露発生を抑制し良好な状態で野菜を冷却保存することが可能となる。
【００９３】
また、前記野菜室ファン５３は野菜室８と冷蔵室７との間を仕切る仕切板５内に配置しているので、野菜室８の冷却を効率の良いものとしつつ野菜室８の容積も確保する形で野菜室ファン５３を野菜室８内に設けることができる。すなわち、野菜室８の上部に冷蔵室７が位置しているので、野菜室８はこの冷蔵室７からの冷輻射によって適度に冷却され、その結果、仕切板５は断熱強化のための断熱材を組み込む必要がなくなるので、そのスペースを利用して野菜室ファン５３を組み込むことができ、しかも野菜室ファン５３は傾斜させて配置してあるから、野菜室ファン５３を組み込んでいるのにもかかわらず仕切板５の厚さを大きく増加させる必要がなくなり、その分野菜室８の容積を大きく確保することができるのである。
【００９４】
なお、上記野菜室８背面への冷輻射は、冷却室１６はもちろんこの実施の形態では冷却室１６の冷却ファン下流側の冷蔵室ダンパ３１までの冷却室冷気搬送路３０帯域がこの冷却室１６と同じ極低温帯の冷却室温度域となっていてこの冷蔵室ダンパ３１までの冷却室温度帯域と対向する部分で強い冷輻射を受けるものであり、本発明においてはこの冷却室冷気搬送路３０を含む冷却室温度帯域を総称して冷却室１６と称す。
【００９５】
以上、本発明の実施の形態を説明してきたが、上記実施の形態で説明した構成は本発明を実施する一例として示したものであり、本発明の目的を達成する範囲で種々変更可能なことは言うまでもない。
【００９６】
＜その他の実施形態＞
例えば、本実施の形態では野菜室８に野菜冷気入口４４と野菜冷気戻り口４６を別々に設けたものを例示して説明したが、これらは一つにして冷気出入り口とし、その冷気出入り口の前方にオフセット状態にして野菜室ファン５３を設けた構成としてもよい。この場合は、野菜空気出入り口の野菜室ファン５３側に偏った位置の開口部分から冷気戻り通路３８の冷気が野菜室８内に吸引供給され、野菜室ファン５３とは反対側に偏った開口部分から野菜室８内の冷気が冷気戻り通路３８へと流出するようになる。したがって、野菜室８内への冷気の流出入量は少なくなるものの、これが逆に野菜室内の冷気全部が次々と入れ替わってしまうのを抑制することになる。したがって野菜室８内の冷気は野菜から蒸散した湿気を含む高湿度の冷気が多く保持されて野菜の乾燥劣化を防止することができ、効果的である。そして、野菜室８内では、前記各実施の形態でと同様、野菜室ファン５３の回転によって冷気を野菜室内で拡散または及び循環するので、結露発生を防止することができる。
【００９７】
また、本実施の形態では野菜室８を冷蔵室７と冷凍室９との間に設けた真ん中野菜タイプの冷蔵庫を例にして説明したが、これは野菜室８が最下部にあるタイプの冷蔵庫であっても野菜室８と冷凍室９の背面に渡って冷却室１６が設置されているものであればよいものである。
【００９８】
また、野菜室８への冷気の供給／停止は、冷蔵室ダンパ３１を兼用して行うようにしたが、野菜室専用のダンパを設けて供給／停止を行わせるようにしてもよく、その際には野菜室ファン５３と同様冷蔵室温度検知手段６５及び野菜室温度検知手段６６の出力により野菜室ファン５３と連動させて供給／停止或いは単独で供給／停止動作させるようにすればよい。
【００９９】
さらに、野菜室ファン５３は野菜室８に設けた野菜室温度検知手段６６からの出力によって制御するものを例示したが、これは冷蔵室温度検知手段６５の出力に連動させて制御するようにしてもよく、あるいは間歇的に所定時間回転を繰り返すようにしてもよいものであり、冷蔵庫の特性に応じて適宜選択すればよい。
【０１００】
更に圧縮機１５も冷蔵庫本体１の上部後方領域に設置したものを説明したが、これも実施の形態で説明したものに限られるものではなく、例えば圧縮機１５は冷蔵庫本体１の下部後方に設けてあってもよいものである。
【産業上の利用可能性】
【０１０１】
本発明にかかる冷蔵庫は、冷却能力が大きな冷蔵庫であっても野菜室内の結露発生を抑制し、良好な状態で野菜を冷却保存することができ、家庭用はもちろん業務用冷蔵庫にも幅広く適用することができる。
【符号の説明】
【０１０２】
１  冷蔵庫本体
２  外箱
３  内箱
４  発泡断熱材
５，６  仕切板
７  冷蔵室
８  野菜室
９  冷凍室
１０，１１，１２  扉
１４  機械室
１５  圧縮機
１６  冷却室
１７  奥面仕切壁体
１８  冷却器
１９  冷却ファン
２０  開口
２１  突片
２２  上向き突片
２３  第一のヒータ
２４  断熱性遮壁
２５  冷気戻り通路用開口
２６  通路開口
２７  タンク設置部
２８  除霜ヒータ
２９  ドレンパン
３０  冷却室冷気搬送路
３１  冷蔵室ダンパ
３２  冷蔵冷気往き通路
３３  冷蔵冷気戻り通路
３４  冷凍室ダンパ
３５  冷蔵冷気入口
３６  冷蔵冷気戻り口
３７  往き通路
３８  戻り通路
３９  連通路
４０  冷気戻りダクト
４１  背面壁体
４２  冷凍冷気入口
４３  冷凍冷気戻り口
４４  野菜冷気入口
４６  野菜冷気戻り口
４７  第一の野菜冷気吸込み口
４７ａ  第一の通路
４８  野菜収納ケース
４９ａ  下段野菜収納ケース
４９ｂ  上段野菜収納ケース
５０  野菜室通路部
５１  第二の野菜冷気吸込み口
５１ａ  第二の通路
５２  第二の冷気循環路
５３  野菜室ファン
５４  吹出口
５５  傾斜面
５６  第二ヒータ
５７  コネクタ接続部
５８  ケース仕切板
５９  非野菜収納部（ペットボトル等収納部）
６０  収納棚
６１  パーシャル室
６２  操作部
６３  冷凍室ケース
６４  製氷装置
６５  冷蔵室温度検知手段
６６  野菜室温度検知手段
６７  冷凍室温度検知手段
６８  制御部
【図１】
2018141629.tif 000003
【図２】
2018141629.tif 000004
【図３】
2018141629.tif 000005
【図４】
2018141629.tif 000006
【図５】
2018141629.tif 000007
【図６】
2018141629.tif 000008
【図７】
2018141629.tif 000009
【図８】
2018141629.tif 000010
【図９】
2018141629.tif 000011
【図１０】
2018141629.tif 000012
【図１１】
2018141629.tif 000013
【図１２】
2018141629.tif 000014
【図１３】
2018141629.tif 000015
【図１４】
2018141629.tif 000016
【図１５】
2018141629.tif 000017
【図１６】
2018141629.tif 000018
【図１７】
2018141629.tif 000019
【図１８】
2018141629.tif 000020
【図１９】
2018141629.tif 000021
【図２０】
2018141629.tif 000022
【図２１】
2018141629.tif 000023
【図２２】
2018141629.tif 000024
【図２３】
2018141629.tif 000025
【図２４】
2018141629.tif 000026
【図２５】
2018141629.tif 000027
【図２６】
2018141629.tif 000028
【図２７】
2018141629.tif 000029
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
冷蔵庫であって、
野菜室と、
前記野菜室の上方に設けられている冷蔵室と、
前記野菜室の下方に設けられている冷凍室と、
前記野菜室の天面、かつ、前記野菜室の正面側に設けられている、前記野菜室に冷気を供給する吹出口とを備えることを特徴とする冷蔵庫。
【請求項２】
前記冷蔵庫の背面側に設けられている、冷却器を有する冷却室と、
前記野菜室の背面の下部に設けられている、前記野菜室の冷気を前記冷却室に戻す戻り口とを備えることを特徴とする請求項１に記載の冷蔵庫。
【請求項３】
前記野菜室と前記冷凍室との間に第１のヒータが設けられ、
前記野菜室と前記冷却室との間に第２のヒータが設けられていることを特徴とする請求項２に記載の冷蔵庫。
【請求項４】
前記野菜室に野菜室ファンが設けられていることを特徴とする請求項１から３のいずれか１項に記載の冷蔵庫。
【請求項５】
前記野菜室ファンは、前記野菜室の天面に設けられていることを特徴とする請求項４に記載の冷蔵庫。
【請求項６】
前記野菜室の背後に、冷気が流れる第１の通路が設けられ、
前記野菜室の天面に、前記第１の通路と連通する第２の通路が設けられ、
前記第２の通路の前記野菜室の正面側の端部が、前記吹出口を構成することを特徴とする請求項１に記載の冷蔵庫。
【請求項７】
前記冷蔵庫の背面側に設けられている、冷却器を有する冷却室と、
前記野菜室の背面の下部に設けられている、前記野菜室の冷気を前記冷却室に戻す戻り口とを備え、
前記戻り口を介して、前記野菜室と前記第１の通路が連通することを特徴とする請求項
６に記載の冷蔵庫。
【請求項８】
前記野菜室と前記冷凍室との間に第１のヒータが設けられ、
前記野菜室と前記冷却室との間に第２のヒータが設けられていることを特徴とする請求項７に記載の冷蔵庫。
【請求項９】
前記第１の通路は、前記冷蔵室の冷気を前記冷却室に戻すための通路であることを特徴とする請求項７又は８に記載の冷蔵庫。
【請求項１０】
前記第２の通路に野菜室ファンが設けられていることを特徴とする請求項６から９のいずれか１項に記載の冷蔵庫。
【手続補正２】
【補正対象書類名】明細書
【補正対象項目名】００１５
【補正方法】変更
【補正の内容】
【００１５】
本発明は、野菜室内で野菜等を良好に冷却保存できる冷蔵庫を提供することを目的としたものである。
【手続補正３】
【補正対象書類名】明細書
【補正対象項目名】００１６
【補正方法】変更
【補正の内容】
【００１６】
本発明の冷蔵庫は、野菜室と、前記野菜室の上方に設けられている冷蔵室と、前記野菜室の下方に設けられている冷凍室と、前記野菜室の天面、かつ、前記野菜室の正面側に設けられている、前記野菜室に冷気を供給する吹出口とを備えることを特徴とする。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
本発明の冷蔵庫は、野菜室内の野菜を良好に冷却保存できる。